(57)【要約】【課題】構成かつ取り付けが簡単で、太陽の直射光線を遮蔽するとともに、エアコン室外機本体、特にエアコン室外機頂板面からの熱放出を効率的に行い、エアコン室外機の温度上昇を抑えるようにしたエアコン室外機用断熱ボードを提供すること。【解決手段】発泡樹脂ボード１の片面に、直射日光を反射するようにした光線反射層１１を形成し、かつ、エアコン室外機５の頂板面に位置する側に頂板と発泡樹脂ボード１の下面との間に空気の流通可能な隙間形成用の間隙形成部材２を配設して構成する。【選択図】図１
2014040931.tif 000002
【特許請求の範囲】
【請求項１】
発泡樹脂ボードの少なくともその片面に、直射日光を反射するようにした光線反射層を形成し、かつ、エアコン室外機の頂板面に位置する側に該頂板と発泡樹脂ボード下面との間に空気の流通可能な隙間形成用の間隙形成部材を配設して構成したことを特徴とするエアコン室外機用断熱ボード。
【請求項２】
間隙形成部材を、エアコン室外機の幅方向に少なくとも２個以上を並列して配設し、発泡樹脂ボードと一体としたことを特徴とする請求項１記載のエアコン室外機用断熱ボード。
【請求項３】
間隙形成部材を、発泡樹脂ボードの下面側に接着するようにしたことを特徴とする請求項１又は２記載のエアコン室外機用断熱ボード。
【請求項４】
発泡樹脂ボードの少なくともその片面に、直射日光を反射するようにした光線反射層を形成し、かつ、エアコン室外機の頂板面に位置する側に該頂板と発泡樹脂ボード下面との間に空気の流通可能な隙間形成用の間隙形成部材を配設し、エアコン室外機の吹出面側を遮り、かつエアコン室外機より噴出する温風を拡散するようにした通風可能な垂れ幕を垂設するように構成したことを特徴とするエアコン室外機用断熱ボード。
【請求項５】
通風可能な垂れ幕を、樹脂製のネット又は布地としたことを特徴とする請求項４記載のエアコン室外機用断熱ボード。
【請求項６】
通風可能な垂れ幕を、発泡樹脂ボード下面に締結又は引っかけて垂設するようにしたことを特徴とする請求項４又は５記載のエアコン室外機用断熱ボード。
【発明の詳細な説明】
【技術分野】
【０００１】
本発明は、エアコン室外機用断熱ボードに関し、特に、太陽からの直射日光を遮り、エアコン室外機からの熱放出を効率的に行えるように室外機頂板面とエアコン室外機用断熱ボード間に空気の流れを可能とする隙間を形成し、エアコン室外機頂板面からも熱を放出するようにしたエアコン室外機用断熱ボードに関するものである。
【背景技術】
【０００２】
従来、エアコン室外機には、エアコン室外機を雨露から保護するとともに、太陽からの強い直射日光を遮蔽してエアコン室外機の温度上昇を防ぐため、エアコン室外機には雨除け用の屋根或いはシェードを取り付けるようにすることがある。
このエアコン室外機用屋根としては室外機形状に合わせて室外機外に枠を別設し、該枠に合成樹脂製の波板等の屋根板を取り付けるように構成している。このため、エアコン室外機の大きさ、形状に合わせて形成することができる利点がある。
【０００３】
ところで、従来のエアコン室外機用屋根は、枠と屋根板とより構成するので必然的にその構成が複雑となり、高価となり、その取り付けが困難になるという問題があった。
また、太陽の直射日光、特に真夏の強力な直射日光を遮蔽するため、特許文献１に開示されているようなエアコン室外機用シェードが提案されている。このエアコン室外機用シェードは発泡樹脂ボードとこの発泡樹脂ボードの一面に積層された金属膜を含む反射板とからなり、これをエアコン室外機頂板面上に直接接触するようにして配設し、該エアコン室外機用シェードをエアコン室外機に平ベルトにて結んで固定するように構成しているので、強い直射光線も遮ることができる。また、その構成も屋根式に比べ簡単となり、かつエアコン室外機に簡易に取り付けられる利点がある。
【０００４】
しかし、このエアコン室外機用シェードはエアコン室外機の頂板面上に沿って直接接触しているため、強い太陽の直射光線は遮ることができても、エアコン室外機頂板面が該エアコン室外機用シェードにて保温されるようになり、エアコン室外機本体内で産出される熱はこのエアコン室外機用シェードにて遮られて室外機の頂板面上からの放熱が妨げられるので放熱作用が低下するという問題があった。
また、エアコン室外機が昇温すると、特に夏場の冷房運転時には冷媒冷却効率が低下して、冷房能力の低下を招き、これにより電力を無駄に消費するという問題があった。
【先行技術文献】
【特許文献】
【０００５】
【特許文献１】実用新案登録第３１４１４０３号公報
【発明の概要】
【発明が解決しようとする課題】
【０００６】
本発明は、上記従来のエアコン室外機用シェードの有する問題点に鑑み、構成かつ取り付けが簡単で、太陽の直射光線を遮蔽するとともに、エアコン室外機本体、特にエアコン室外機頂板面からの熱放出を効率的に行い、エアコン室外機の温度上昇を抑えるようにしたエアコン室外機用断熱ボードを提供することを目的とする。
【課題を解決するための手段】
【０００７】
上記目的を達成するため、エアコン室外機用断熱ボードは、発泡樹脂ボードの少なくともその片面に、直射日光を反射するようにした光線反射層を形成し、かつ、エアコン室外機の頂板面に位置する側に該頂板と発泡樹脂ボード下面との間に空気の流通可能な隙間形成用の間隙形成部材を配設して構成したことを特徴とする。
【０００８】
この場合において、間隙形成部材は、エアコン室外機の幅方向に少なくとも２個以上を並列して配設し、発泡樹脂ボードと一体とすることができる。
【０００９】
また、間隙形成部材は、発泡樹脂ボードの下面側に接着するようにすることができる。
【００１０】
また、上記目的を達成するため、エアコン室外機用断熱ボードは、発泡樹脂ボードの少なくともその片面に、直射日光を反射するようにした光線反射層を形成し、かつ、エアコン室外機の頂板面に位置する側に該頂板と発泡樹脂ボード下面との間に空気の流通可能な隙間形成用の間隙形成部材を配設し、エアコン室外機の吹出面側を遮り、かつエアコン室外機より噴出する温風を拡散するようにした通風可能な垂れ幕を垂設するように構成したことを特徴とする。
【００１１】
この場合において、通風可能な垂れ幕は、樹脂製のネット又は布地とすることができる。
【００１２】
また、通風可能な垂れ幕は、発泡樹脂ボード下面に締結又は引っかけて垂設するようにすることができる。
【発明の効果】
【００１３】
本発明のエアコン室外機用断熱ボードによれば、エアコン室外機用断熱ボードは、発泡樹脂ボードの少なくともその片面に、直射日光を反射するようにした光線反射層を形成し、かつ、エアコン室外機の頂板面に位置する側に該頂板と発泡樹脂ボード下面との間に空気の流通可能な隙間形成用の間隙形成部材を配設して構成しているので、エアコン室外機内部で産出される熱も効率よく放熱して、不必要な昇温を未然に防ぐことができる。
【００１４】
また、間隙形成部材は、エアコン室外機の幅方向に少なくとも２個以上を並列して配設して発泡樹脂ボードと一体とすることにより、簡易な構成でエアコン室外機の頂板と発泡樹脂ボードとの間に確実に隙間を形成して冷却用の空気流路を確保することができるので、エアコン室外機の冷却を各自に行うことができる。
【００１５】
また、間隙形成部材は、発泡樹脂ボードの下面側に接着するようにすることにより、簡易に製作することができる。
【００１６】
また、本発明のエアコン室外機用断熱ボードによれば、エアコン室外機用断熱ボードは、発泡樹脂ボードの少なくともその片面に、直射日光を反射するようにした光線反射層を形成し、かつ、エアコン室外機の頂板面に位置する側に該頂板と発泡樹脂ボード下面との間に空気の流通可能な隙間形成用の間隙形成部材を配設し、エアコン室外機の吹出面側を遮り、かつエアコン室外機より噴出する温風を拡散するようにした通風可能な垂れ幕を垂設するように構成しているので、エアコン室外機内部で産出される熱も効率よく放熱して、不必要な昇温を未然に防ぐことができるとともに、エアコン室外機より噴出する温風は通風可能な垂れ幕にて拡散されるので、エアコン室外機前に載置された植物等の対象物に直接強い温風が当たるのを避けられるので、植物等の対象物に与える影響を最小限に留めることができる。
【００１７】
また、通風可能な垂れ幕は、樹脂製のネット又は布地とすることにより、構成を簡易に、安価に提供することができる。
【００１８】
また、通風可能な垂れ幕は、発泡樹脂ボード下面に締結又は引っかけて垂設するようにすることにより、不使用時には簡単に取りはずして収納することができる。
【図面の簡単な説明】
【００１９】
【図１】本発明のエアコン室外機用断熱ボードの第１実施例を示し、エアコン室外機に装着した状態を示す正面図である。
【図２】同側面図である。
【図３】エアコン室外機用断熱ボードの一部拡大断面図である。
【図４】本発明のエアコン室外機用断熱ボードの第２実施例を示し、エアコン室外機に装着した状態を示す正面図である。
【図５】同側面図である。
【図６】締結具の掛け渡し方の異なる変形実施例を示し、（ａ）はエアコン室外機用断熱ボードの下面から見た斜視図、（ｂ）はエアコン室外機に装着した状態を示す正面図である。
【発明を実施するための形態】
【００２０】
以下、本発明のエアコン室外機用断熱ボードの実施の形態を、図面に基づいて説明する。
【実施例１】
【００２１】
図１〜図３に、本発明のエアコン室外機用断熱ボードの第１実施例を示す。
このエアコン室外機用断熱ボードは、エアコン室外機５の天面側を直射日光を遮るようにした十分の大きさを有する発泡樹脂ボード１を主体とし、この発泡樹脂ボード１の下面に配設する幅方向に２個以上（本実施例においては、３個。）の間隙形成部材２を並列して構成する。この間隙形成部材２を用いる個数は、発泡樹脂ボード１の大きさや強度を勘案して適宜定めることができる。
【００２２】
また、図示の実施例ではこの発泡樹脂ボード１の片面に直射日光を反射するようにした光線反射層１１を一体に形成しているが、発泡樹脂ボード１の上下両面に形成することもできる。特に、この光線反射層１１を発泡樹脂ボード１の片面のみに形成する場合は、エアコン室外機５の天面に載置する時、光線反射層１１を上側になるようにすることにより太陽からの直射日光を反射して発泡樹脂ボード１の昇温を防止するようにすることができる。
【００２３】
また、この発泡樹脂ボード１をエアコン室外機５の天面上に載置する場合、発泡樹脂ボード１の下面側とエアコン室外機５の頂板面との間に空気が自然に流通してエアコン室外機５と発泡樹脂ボード１との間の熱の伝導を防止する程度の隙間、すなわち空気流通路Ｃを形成できるように隙間形成用の間隙形成部材２を配設するが、この間隙形成部材２の材質は特に限定されるものではなく、例えば、発泡樹脂ボード１と同じ材質で形成したり、異質の材質で形成して、これを幅方向に並列的に少なくとも２個以上を配置する。
この間隙形成部材２は、発泡樹脂ボード１の片面、通常はエアコン室外機５の天面上に載置する場合、下面側になるようにして予め発泡樹脂ボード１と一体に形成することも、或いは発泡樹脂ボード１と個別的に形成し、使用時に接着剤や両面接着テープ等（いずれも図示せず）を用いて一体とすることができる。
なお、この間隙形成部材２は、発泡樹脂ボード１をエアコン室外機５上に載置した時、発泡樹脂ボード１が歪曲しても両者間には空気が自然に流通する空気流通路Ｃを形成できるようにしてその高さを定めるものとする。
【００２４】
上記発泡樹脂ボード１は、特に限定されるものではないが、発泡率３０〜４０倍程度のポリエチレンフォームからなり、８〜２０ｍｍ程度の厚さを有し、光線反射層１１を、発泡樹脂ボード１の少なくともその片面（表面側）に形成するようにする。これにより、所要の補形性と断熱性及び柔軟性を有するようにして、軽量で制作を簡易にすることができる。
なお、発泡樹脂ボード１はポリエチレンフォームに限定されることなく、他にポリプロピレンフォーム、メラミンフォーム、ポリウレタンフォーム等にて形成することができる。
通常は前記樹脂材料を所要の発泡率で発泡した板状として使用するが、難燃性を必要とする場合には、前記樹脂材料に難燃剤を添加することができ、これにより難燃性の発泡樹脂ボード１とすることができる。
この難燃剤としては、特に限定されるものではないが、例えば、ＴＢＢＰＡ、ＤＢＤＰＯ、ＨＢＣＤ、ＴＢＰ等の臭素系、塩素化バラフィン等の塩素系、リン酸エステル系、含ハロゲンリン酸エステル系等のリン系、水酸化アルミニウム、三酸化アンチモン等の無機系等を適宜採用することができる。
【００２５】
発泡樹脂ボード１の少なくともその片面に形成される光線反射層１１は、金属箔層でポリエチレンフィルムの少なくとも片面にアルミニウムを蒸着し、この蒸着アルミニウム面をポリエチレンテレフタレートフィルムにて覆い三層構造として形成し、該フィルムを前記発泡樹脂ボード１に接着して一体構造とすることができるが、これは特に限定されるものではなく、発泡樹脂ボード１の少なくともその片面に直接アルミニウム箔膜を貼着して構成したり、白地の印刷フィルムを貼着して構成する等、光線を反射可能な任意の材料からなる層で構成することができる。
【００２６】
このように構成するエアコン室外機用断熱ボードをエアコン室外機５上に載置する際、片面しか光線反射層１１を形成していない場合、この光線反射層１１が天面となるように配置し、かつ下面側には３個の間隙形成部材２を適当な間隔を空けて配置し、かつエアコン室外機５の前面側と後面側に、直射日光ができるだけエアコン室外機５に直接かからないように載置する。したがって、エアコン室外機用断熱ボードの先端面が、図５に示すように、エアコン室外機５よりも前方に後方側よりも大きく突出するようになることもある。
【００２７】
なお、予め３個の間隙形成部材２が発泡樹脂ボード１の下面に貼着等にて取り付けられている場合は、そのままエアコン室外機５上に載置すればよい。
そして、このエアコン室外機用断熱ボードは軽量なので風により吹き飛ばされないようにエアコン室外機５に紐やバンド等の締結具３を掛け渡して固定するようにする。この場合、紐やバンド等の締結具３を挿通するようにした挿通孔（図示省略）を穿設することもできる。そして、該挿通孔に挿通した紐やバンド等の締結具３にてエアコン室外機５に固定するようにする。
また、紐やバンド等の締結具３は、予め発泡樹脂ボード１或いは間隙形成部材２の端部に取り付けておいて、エアコン室外機５上に発泡樹脂ボード１を載置した時、該エアコン室外機５に固定できるようにする。
【００２８】
これにより、冷房運転時等太陽の強い直射日光がエアコン室外機５に直接照射されるようになっても、発泡樹脂ボード１の上面の光線反射層１１にて光線を反射し、かつ断熱されて太陽光線から受ける昇温を防ぐとともに、またコンプレッサーの運転用モータの駆動によりエアコン室外機５内でも発熱するが、この発熱がエアコン室外機５の頂板（天板）に伝わって昇温してもこのエアコン室外機５の頂板と、これを覆うように配設された発泡樹脂ボード１との間に形成される隙間、空気流通路Ｃに自然と空気が流れ込むようになり、エアコン室外機５の本体内からの放熱を妨げることなく、自然冷却が効率的に行える。
また、この発泡樹脂ボード１の下面にも光線反射層１１を形成する場合、下方からの光線も反射することができ、より効果的にエアコン室外機５の昇温を抑制できる。
【実施例２】
【００２９】
図４〜図５に、本発明のエアコン室外機用断熱ボードの第２実施例を示す。
この第２実施例は、主体とする発泡樹脂ボード１と、この発泡樹脂ボード１の下面に配設する幅方向に３個並列した間隙形成部材２と、さらにはエアコン室外機５の前面又は後面に、コンプレッサーを冷却した熱エネルギーを持つ風（温風或いは熱風）が吹出口５１から吹き出されるが、エアコン室外機５の配置場所によっては、風に弱い植物や観葉植物が配置され、この温風が直接前記植物に当たることがある。これを防ぐためエアコン室外機５の吹出口５１から噴射される温風が直接前記植物に当たらないように通風性のよい垂れ幕４を配設して構成する。
この垂れ幕４の大きさは、特に限定されるものではないが、少なくとも吸込口５２より吸引し、内部で熱交換した後の温風又は熱風が吹出口５１から吹き出される時、この吹き出し温風又は熱風が拡散されるようにして定めるものとする。
【００３０】
この垂れ幕４としては、風雨にも強く、耐候性に優れたもの、特に限定されるものではないが、例えば、樹脂製のネットや布地とすることができ、エアコン室外機５の吹出口５１から噴射される温風が拡散される程度の大きさとすることができる。
【００３１】
また、この垂れ幕４の取り付けは、特に限定されるものではなく、例えば、垂れ幕４の上端を紐等にて発泡樹脂ボード１と締結することも、或いはフック等の引っかけ金具にて引っかけるようにすることもできる。
さらに、該垂れ幕４の下端を地面或いは他の固定物に固定することで、風雨によっても垂れ幕４がばたつくことなく安定して保持される。
これにより、エアコン室外機５の吹出口５１より吹き出される温風はこの垂れ幕４に当たり分散されるようになって、エアコン室外機５の吹出口５１より吹き出される温風は直接対象物の植物に当たるのを防ぐことができる。
【００３２】
ところで、紐やバンド等の締結具３は、上記実施例に示すように、発泡樹脂ボード１の間隙形成部材２を設けていない箇所に締結具３を挿通する挿通孔（図示省略）を穿設してエアコン室外機５に締結具３を掛け渡して固定するようにしたが、図６に示す変形実施例のように、発泡樹脂ボード１の間隙形成部材２を設けた箇所に締結具３を挿通する挿通孔Ｈを穿設してエアコン室外機５に締結具３を掛け渡して固定するようにすることもできる。
【００３３】
以上、本発明のエアコン室外機用断熱ボードについて、複数の実施例に基づいて説明したが、本発明は上記実施例に記載した構成に限定されるものではなく、例えば、本発明のエアコン室外機用断熱ボードをエアコン室外機５に固定する手段として、紐やバンド等の締結具３に代えて、磁石を用いるようにしたり、垂れ幕４の下端部をペグ等の適宜の留め具を用いて地面や地面に載置したブロックに固定できるようにする等、その趣旨を逸脱しない範囲において適宜その構成を変更することができるものである。
【産業上の利用可能性】
【００３４】
本発明のエアコン室外機用断熱ボードは、太陽の直射光線を遮蔽するとともに、エアコン室外機頂板面からの熱放出を効率的に行って温度上昇を抑えることができるという特性を有していることから、エアコン室外機用断熱ボードの用途に好適に用いることができる。
【符号の説明】
【００３５】
１    発泡樹脂ボード
１１  光線反射層
２    間隙形成部材
３    締結具
４    垂れ幕
５    エアコン室外機
５１  吹出口
Ｃ    空気流通路
Ｈ    挿通孔
【図１】
2014040931.tif 000003
【図２】
2014040931.tif 000004
【図３】
2014040931.tif 000005
【図４】
2014040931.tif 000006
【図５】
2014040931.tif 000007
【図６】
2014040931.tif 000008